(57)【要約】【課題】部品点数及び工数の増加なしで、防振体を有したスピーカーの固定状態を改善させるスピーカー取り付け構造を提供すること。【解決手段】固定用のフランジ部を有するスピーカーと、フランジ部と勘合する溝部を有する防振体と、防振体を固定するボス部と、リブ部を有するブラケットとを備え、防振体は、更に、ボス部及びリブ部と勘合する貫通穴とコの字溝部とを溝部の両側に有し、ボス部は、防振体に勘合する凸部を有することを特徴とし、防振体とブラケットとでスピーカーをｘ，ｙ，ｚ方向で安定して固定することにより、部品点数及び工数の増加なしで、防振体を有したスピーカーの固定状態を改善することができる。【選択図】図１
2011142480.tif 000002
【特許請求の範囲】
【請求項１】
固定用のフランジ部を有するスピーカーと、
前記フランジ部と勘合する溝部を有する防振体と、
前記防振体を固定するボス部と、リブ部を有するブラケットとを備え、
前記防振体は、更に、前記ボス部及びリブ部と勘合する貫通穴とコの字溝部とを前記溝部の両側に有し、
前記ボス部は、前記防振体に勘合する凸部を有することを特徴とするスピーカーの取り付け構造。
【発明の詳細な説明】
【技術分野】
【０００１】
本発明はテレビ受像装置等の音響機器に内蔵されたスピーカーを取り付ける際に使用されるスピーカーの取り付け構造に関し、特に、少ない部品点数でスピーカーの固定状態を安定させるスピーカーの取り付け構造に関するものである。
【背景技術】
【０００２】
テレビ受像装置等の音響機器にはスピーカーが内蔵されており、かかるスピーカーは音波を発生させる際に生じる振動が内部部品及び外部部品に直接伝わらないように、低剛性特性を有するゴム材料からなる防振体を介してテレビ受像装置へ取りつけられている（例えば、特許文献１参照）。
【０００３】
図６は従来のテレビ受像装置におけるスピーカー取り付け構造を示した図である。スピーカー２をテレビ受像装置１へと取り付けるための構成部品としては、スピーカー振動の伝達を抑制するための防振体３、防振体３を介してスピーカー２をテレビ受像装置へ取り付け支持するためのプラスチック材料からなるブラケット４、及び防振体３を有したスピーカー２とブラケット４とを固定するためのビス１３がある。なお、図６において、今後の説明のため便宜的にｘ、ｙ、ｚ方向を指定し、以降の図においても同様にｘ、ｙ、ｚ方向の図示を行う。
【０００４】
図７は従来のスピーカー２の形状を示した図である。スピーカー２には防振体３と勘合させるための金属フレームからなるフランジ部１４が構成されている。
【０００５】
図８は従来の防振体３の形状を示した図である。防振体３にはスピーカー２のフランジ部１４と勘合させるための溝部５、ブラケット４と勘合させるための貫通穴部８が設けられている。また、以後の説明のため、便宜的に溝部５を境界部として防振体上部６と防振体下部７に分けることとする。
【０００６】
図９は従来のブラケット４の形状を示した図である。ブラケット４には防振体３の貫通穴に挿入し勘合させるため、及び防振体３を有したスピーカー２を固定することを目的としたビス締結のためのボス部１０が設けられている。
【０００７】
以上の構成からなるスピーカー取り付け部の構造について説明する。
【０００８】
図１０は従来のスピーカー取り付け部の分解状態図を示した図である。スピーカー２に設けられたフランジ部１４と防振体３に設けられた溝部５を勘合させることで、防振体３がスピーカー２に取り付けられる。防振体３に設けられた貫通穴部８に、ブラケット４に設けられたボス部１０を指し込み、防振体３をブラケット４のボス部１０の根元まで挿入することで防振体３を有したスピーカー２とブラケット４とを勘合させる。最後に防振体３を有したスピーカー２をブラケット４に固定するために、ビス１３を用いてブラケット４のボス部１０にｚ方向にビス締結が行われる。
【先行技術文献】
【特許文献】
【０００９】
【特許文献１】特開２０００−１３８９８８号公報
【発明の概要】
【発明が解決しようとする課題】
【００１０】
上記のように、従来のスピーカー取り付け構造部には、防振ゴム３を有したスピーカー２とブラケット４との固定には、ビス締結方法が用いられることが一般的であった。
【００１１】
しかしながら、従来のスピーカー取り付け構造においては、ビス１３による部品点数の増加及びビス締結工数が発生していた。更に、従来のビス締結による固定においては、防振体下部７は，ｘ方向、ｙ方向の固定は防振体３の貫通穴部８とブラケット４のボス部１０との勘合により行われ、ｚ方向はビス締結によって行われるものの、防振体上部６を固定支持する構成が無く、低剛性特性を有する防振体３のみでの支持では固定状態が不安定であり、輸送中の振動や衝撃によってスピーカー２への損傷の危険性が発生していた。
【００１２】
そこで、本発明はこのような問題を解決すべくなされたものであり、ビス１３による部品点数の増加及びビス締結工数の発生を無くし、防振体３を有したスピーカー２とブラケット４との固定状態を改善させる、テレビ受像装置などの音響機器におけるスピーカー取り付け構造を提供することを目的とする。
【課題を解決するための手段】
【００１３】
前記従来の課題を解決するために、本発明のスピーカーの取り付け構造は、固定用のフランジ部を有するスピーカーと、フランジ部と勘合する溝部を有する防振体と、防振体を固定するボス部と、リブ部を有するブラケットとを備え、防振体は、更に、ボス部及びリブ部と勘合する貫通穴とコの字溝部とを溝部の両側に有し、ボス部は、防振体に勘合する凸部を有することを特徴とし、防振体とブラケットとでスピーカーをｘ，ｙ，ｚ方向で安定して固定することが可能となる。
【００１４】
本発明の取り付け構造によれば、ブラケット４のボス部１０の先端に設けた凸部１２が防振体下部７と勘合し、従来ビス１３が行っていた防振ゴム３を有したスピーカー２とブラケット４とをｚ方向に固定する役割を果たすことが可能となり、ビス１３を必要としないため、ビス１３による部品点数の増加及びビス締結工数の発生を無くすことが可能となる。
【００１５】
さらに、防振体上部６に設けたコの字溝部９と、ブラケット４の上部に設けたリブ部１１とが勘合するため、防振体３のｘ方向及びｙ方向の固定状態が安定し、その結果、防振体３を有したスピーカー２とブラケット４との固定状態を改善させることが可能となる。
【発明の効果】
【００１６】
本発明のスピーカーの取り付け構造によれば、ビスによる部品点数の増加及びビス締結工数の発生を無くし、防振体を有したスピーカーとブラケットとの固定状態を改善させる、テレビ受像装置などの音響機器におけるスピーカー取り付け構造を提供することができる。
【図面の簡単な説明】
【００１７】
【図１】本発明の実施例１におけるテレビ受像装置のスピーカー取り付け構造を示した図
【図２】本発明の実施例１における防振体の形状を示した図
【図３】本発明の実施例１におけるブラケットの形状を示した図
【図４】本発明の実施例１におけるスピーカー取り付け部の分解状態を示した図
【図５】本発明の実施例１における防振体とブラケットとの勘合部を示した図
【図６】従来のテレビ受像装置におけるスピーカー取り付け構造を示した図
【図７】従来のスピーカーの形状を示した図
【図８】従来の防振体の形状を示した図
【図９】従来のブラケットの形状を示した図
【図１０】従来のスピーカー取り付け部の分解状態図を示した図
【発明を実施するための形態】
【００１８】
以下本発明を実施するための形態について、図面を参照しながら説明する。
【実施例１】
【００１９】
図１は本発明の実施例１におけるテレビ受像装置のスピーカー取り付け構造を示した図である。スピーカー２をテレビ受像装置１へと取り付けるための構成部品としては、スピーカー振動の伝達を抑制するための防振体３、防振体３を介してスピーカー２をテレビ受像装置側へ取り付け支持するためのプラスチック材料からなるブラケット４がある。なお、図１において、今後の説明のため便宜的にｘ、ｙ、ｚ方向を指定し、以降の図においても同様にｘ、ｙ、ｚ方向の図示を行う。
【００２０】
図２は本発明の実施例１における防振体３の形状を示した図である。防振体３の材料には、例えばエチレンプロピレンゴム（ＥＰＤＭ）からなる低剛性材料が用いられる。
【００２１】
防振体３にはスピーカー２と固定するための溝部５が設けられている。また、防振体下部７にはブラケット４のボス部１０と勘合する貫通穴部８が設けられており、さらに防振体上部６にはブラケット４と勘合する、ｙ方向を開空間とするコの字溝部９が設けられている。
【００２２】
図３は本発明の実施例１におけるブラケット４の形状を示した図である。ブラケット４の材料には、スピーカー２を支持するための剛性を十分兼ね備え、かつ、形状に自由度のあるプラスチック材料が用いられる。
【００２３】
ブラケット４には、防振体３に設けられた貫通穴部８と勘合させるためのボス部１０が設けられており、更にそのボス部１０の先端には凸部１２が設けられている。
【００２４】
ブラケット４に設けられたボス部１０の径は防振体３に設けられた貫通穴部８の径よりも若干小さいが、ブラケット４のボス部１０とその先端に設けられた凸部１２を合わせた寸法（ｘｙ平面）は防振体３に設けられた貫通穴部８の径よりも大きくなる関係としている。
【００２５】
また、ブラケット４の上部には、防振体３に設けられたコの字溝部９と勘合するリブ部１１が設けられており、嵌め合う関係となっている。
【００２６】
なお、ブラケット４で形成される形状はテレビ受像装置１と一体形成されてあってもよい。
【００２７】
以上の構成からなる本実施形態のスピーカー取り付け部の構造について説明する。
【００２８】
図４は本発明の実施例１におけるスピーカー取り付け部の分解状態を示した図である。スピーカー２に設けられたフランジ部１４と防振体３に設けられた溝部５を勘合させることで、防振体３がスピーカー２に取り付けられる。
【００２９】
防振体３に設けられた貫通穴部８に、ブラケット４に設けられた先端に凸部１２を有したボス部１０を指し込み、防振体３をブラケット４のボス部１０の根元まで挿入することで防振体３を有したスピーカー２とブラケット４を勘合させる。
【００３０】
その際、ブラケット４に設けたボス部１０と凸部１２を足し合わせた寸法（ｘｙ平面）は防振体３に設けた貫通穴部８の径（ｘｙ平面）よりも大きいために、部分的に圧入の関係となるが、防振体３が持つ低剛性特性のため防振体３が変形することで容易に挿入可能である。
【００３１】
更に、防振体３の貫通穴部８とブラケット４のボス部１０を勘合させると同時に、防振体３に設けられたコの字溝部９がブラケット４の上部に設けられたリブ部１１と勘合する関係となっている。
【００３２】
以上のスピーカー取り付け構造における防振体３を有したスピーカー２とブラケット４との固定について説明する。
【００３３】
図５は本発明の実施例１における防振体３とブラケット４との勘合部を示した図である。
【００３４】
防振体下部７の固定について説明する。防振体下部７のｘ方向及びｙ方向の固定は、防振体３の貫通穴部８とブラケット４のボス部１０との勘合で行われる。また、防振体下部７のｚ方向の固定については、ブラケット４の凸部１２と防振体下部７との勘合で行われる。
【００３５】
そして、防振体上部６の固定について説明する。防振体３にコの字溝部９を設けていること、及びブラケット４にそれに勘合するリブ部１１を設けていることで、両部品間の接触部にｘｚ平面及びｙｚ平面の接触面が形成され、防振体３のコの字溝部９とブラケット４のリブ部１１が勘合することで行われている。また、防振体上部６のｚ方向の固定は、防振体３に設けたコの字溝部９とブラケット４に設けたリブ部１１との接触面積が十分確保出来ているため、防振体上部６とブラケット４のリブ部１１の摩擦力により十分な固定が行われる。
【００３６】
防振体３の固定について説明する。防振体３のｘ方向及びｙ方向の固定は、スピーカー２のフランジ部１４の上方と下方で、防振体３の貫通穴部８とブラケット４のボス部１０との勘合、及び、防振体３のコの字溝部９とブラケット４のリブ部１１との勘合により行っている。また、防振体３のｚ方向の固定は、ブラケット４の凸部１２と防振体下部７との勘合、及び、防振体上部６とブラケット４のリブ部１１の摩擦力により行っている。
【００３７】
かかる構成によれば、ブラケット４のボス部１０の先端に設けた凸部１２が防振体下部７と勘合し、従来ビス１３が行っていた防振ゴム３を有したスピーカー２とブラケット４とをｚ方向に固定する役割を果たすことが可能となり、ビス１３を必要としないため、ビス１３による部品点数の増加及びビス締結工数の発生を無くすことが可能となる。
【００３８】
さらに、防振体上部６に設けたコの字溝部部９と、ブラケット４の上部に設けたリブ部１１とが勘合するため、防振体３のｘ方向及びｙ方向の固定状態が安定し、その結果、防振体３を有したスピーカー２とブラケット４との固定状態を改善させることが可能となる。
【００３９】
なお、更に強固な防振体上部６のｚ方向の固定を実現するためには、ブラケット４のボス部１０の先端に設けた凸部１２と同等の形状を、リブ部１１の先端に設けて防振体上部６との勘合部を形成すればよい。
【産業上の利用可能性】
【００４０】
本発明にかかるスピーカーの取り付け構造は、スピーカーの取り付け部においてビス締め工数の削減が可能となり、またスピーカーの固定状態の改善が可能となるため、テレビ受像装置等の音響機器に内蔵されたスピーカーを取り付ける際に使用される構造としては有用である。
【符号の説明】
【００４１】
１    テレビ受像装置
２    スピーカー
３    防振体
４    ブラケット
５    溝部
６    防振体上部
７    防振体下部
８    貫通穴部
９    コの字溝部
１０    ボス部
１１    リブ部
１２    凸部
１３    ビス
１４    フランジ部
【図１】
2011142480.tif 000003
【図２】
2011142480.tif 000004
【図３】
2011142480.tif 000005
【図４】
2011142480.tif 000006
【図５】
2011142480.tif 000007
【図６】
2011142480.tif 000008
【図７】
2011142480.tif 000009
【図８】
2011142480.tif 000010
【図９】
2011142480.tif 000011
【図１０】
2011142480.tif 000012